(57)【特許請求の範囲】
【請求項１】
メタリック色で表されたメタリック色領域を有する原稿を読み取った読取画像の明度及び彩度と、前記原稿を撮影した撮影画像の明度及び彩度とを用いて、前記メタリック色領域に対応する画素を抽出する抽出手段と、
前記抽出手段により抽出された前記メタリック色領域に対応する画素を前記メタリック色とした画像データを生成する生成手段と、
を備えた画像データ生成装置。
【請求項２】
前記抽出手段は、前記読取画像及び前記撮影画像の明度差と、前記読取画像及び前記撮影画像の彩度差とを用いて、前記メタリック色領域に対応する画素を抽出する
請求項１記載の画像データ生成装置。
【請求項３】
前記抽出手段は、前記読取画像及び前記撮影画像の何れか一方から前記メタリック色領域に対応する画素を指定させ、指定された画素の明度及び彩度を用いて、前記メタリック色領域に対応する画素を抽出する
請求項１又は２記載の画像データ生成装置。
【請求項４】
前記抽出手段は、前記読取画像及び前記撮影画像の何れか一方から前記メタリック色領域を含む領域を指定させ、指定された領域から、前記メタリック色領域に対応する画素を抽出する
請求項１〜３の何れか１項記載の画像データ生成装置。
【請求項５】
前記抽出手段は、前記読取画像及び前記撮影画像の色合わせを行い、色合わせが行われた前記読取画像の明度及び彩度と、前記撮影画像の明度及び彩度とを用いて、前記メタリック色領域に対応する画素を抽出する
請求項１〜３の何れか１項記載の画像データ生成装置。
【請求項６】
前記抽出手段は、前記指定された領域を除いた領域に含まれる各々の画素の画素値を用いて、前記読取画像及び前記撮影画像の色合わせを行い、色合わせが行われた前記読取画像の明度及び彩度と、前記撮影画像の明度及び彩度とを用いて、前記メタリック色領域に対応する画素を抽出する
請求項４記載の画像データ生成装置。
【請求項７】
前記抽出手段は、前記撮影画像より前記読取画像の方が明度が低いこと、及び前記撮影画像より前記読取画像の方が彩度が低いことの少なくとも一方を満たし、かつ前記読取画像及び前記撮影画像の明度差のベクトル及び彩度差のベクトルの合成ベクトルの長さが予め定めた閾値以上である画素を前記メタリック色領域に対応する画素として抽出する
請求項１〜６の何れか１項記載の画像データ生成装置。
【請求項８】
前記抽出手段は、複数色のメタリック色領域に対応する画素の各々の画素値、明度、及び彩度を用いて、前記複数色のメタリック色領域に対応する画素を色毎に抽出する
請求項１〜７の何れか１項記載の画像データ生成装置。
【請求項９】
請求項１〜８の何れか１項記載の画像データ生成装置と、
前記画像データ生成装置により生成された画像データの版を作成し、作成した前記版を用いて前記原稿の前記メタリック色領域を前記メタリック色で印刷する印刷手段と、
を備えた印刷装置。
【請求項１０】
コンピュータを、請求項１〜８の何れか１項記載の画像データ生成装置を構成する各手段として機能させるための画像データ生成プログラム。
【発明の詳細な説明】
【技術分野】
【０００１】
本発明は、画像データ生成装置、印刷装置、及び画像データ生成プログラムに関する。
【背景技術】
【０００２】
特許文献１には、メタリックインクとカラーインクとを用いて画像を印刷する印刷装置であって、画像データを入力する入力部と、前記入力した画像データの中から、所定の特徴を有する領域を特定領域として抽出する抽出部と、前記抽出された特定領域と、該特定領域以外の領域である非特定領域とで、メタリックインクとカラーインクとを使い分けて前記画像データの印刷を行う印刷部とを備える印刷装置が開示されている。
【０００３】
特許文献２には、１頁中にスポットカラー印刷部とフルカラー印刷部とが混在する印刷を行う記録装置であって、出力に関するデータの判断及び管理を行う記録データ管理部と、前記記録データ管理部から出力される記録データに基づいて印刷を行う記録部とを有し、前記記録データ管理部に、スポットカラー印刷のための各色のＲＧＢ成分値を記憶したＲＧＢテーブルと、このＲＧＢテーブルに記憶された各成分値のいずれかと同じ値を持つ画素データを検出した場合には、この画素に隣接する画素のＲＧＢ成分値を確認し、これら２つの画素の成分値の比較結果から、スポットカラー印刷部かフルカラー印刷部かを判断する判断手段とを設けたことを特徴とする記録装置が開示されている。
【０００４】
特許文献３には、原稿を読み取って得られるデジタルカラー画像信号から色再現域に関する特徴量とテクスチャに関する特徴量を抽出し、該特徴量を基に、前記原稿がインクジェットプリンタで出力された原稿であるか否かを判定することを特徴とする原稿種判定方法が開示されている。
【先行技術文献】
【特許文献】
【０００５】
【特許文献１】特開２００９−２２０４２３号公報
【特許文献２】特開平０８−１８７８９９号公報
【特許文献３】特開平１０−１２６６３１号公報
【発明の概要】
【発明が解決しようとする課題】
【０００６】
本発明は、メタリック色で表されたメタリック色領域を有する原稿の画像データを生成する際に、ユーザにより指定された領域をメタリック色領域として抽出する場合と比較して、メタリック色で表されたメタリック色領域を有する原稿の画像データを簡単に生成することができる画像データ生成装置、印刷装置、及び画像データ生成プログラムを提供することを目的とする。
【課題を解決するための手段】
【０００７】
請求項１に係る画像データ生成装置は、メタリック色で表されたメタリック色領域を有する原稿を読み取った読取画像の明度及び彩度と、前記原稿を撮影した撮影画像の明度及び彩度とを用いて、前記メタリック色領域に対応する画素を抽出する抽出手段と、前記抽出手段により抽出された前記メタリック色領域に対応する画素を前記メタリック色とした画像データを生成する生成手段と、を備えている。
【０００８】
請求項２に係る画像データ生成装置は、請求項１記載の発明において、前記抽出手段は、前記読取画像及び前記撮影画像の明度差と、前記読取画像及び前記撮影画像の彩度差とを用いて、前記メタリック色領域に対応する画素を抽出する。
【０００９】
請求項３に係る画像データ生成装置は、請求項１又は２記載の発明において、前記抽出手段は、前記読取画像及び前記撮影画像の何れか一方から前記メタリック色領域に対応する画素を指定させ、指定された画素の明度及び彩度を用いて、前記メタリック色領域に対応する画素を抽出する。
【００１０】
請求項４に係る画像データ生成装置は、請求項１〜３の何れか１項記載の発明において、前記抽出手段は、前記読取画像及び前記撮影画像の何れか一方から前記メタリック色領域を含む領域を指定させ、指定された領域から、前記メタリック色領域に対応する画素を抽出する。
【００１１】
請求項５に係る画像データ生成装置は、請求項１〜３の何れか１項記載の発明において、前記抽出手段は、前記読取画像及び前記撮影画像の色合わせを行い、色合わせが行われた前記読取画像の明度及び彩度と、前記撮影画像の明度及び彩度とを用いて、前記メタリック色領域に対応する画素を抽出する。
【００１２】
請求項６に係る画像データ生成装置は、請求項４記載の発明において、前記抽出手段は、前記指定された領域を除いた領域に含まれる各々の画素の画素値を用いて、前記読取画像及び前記撮影画像の色合わせを行い、色合わせが行われた前記読取画像の明度及び彩度と、前記撮影画像の明度及び彩度とを用いて、前記メタリック色領域に対応する画素を抽出する。
【００１３】
請求項７に係る画像データ生成装置は、請求項１〜６の何れか１項記載の発明において、前記抽出手段は、前記撮影画像より前記読取画像の方が明度が低いこと、及び前記撮影画像より前記読取画像の方が彩度が低いことの少なくとも一方を満たし、かつ前記読取画像及び前記撮影画像の明度差のベクトル及び彩度差のベクトルの合成ベクトルの長さが予め定めた閾値以上である画素を前記メタリック色領域に対応する画素として抽出する。
【００１４】
請求項８に係る画像データ生成装置は、請求項１〜７の何れか１項記載の発明において、前記抽出手段は、複数色のメタリック色領域に対応する画素の各々の画素値、明度、及び彩度を用いて、前記複数色のメタリック色領域に対応する画素を色毎に抽出する。
【００１５】
請求項９に係る印刷装置は、  請求項１〜８の何れか１項記載の画像データ生成装置と、前記画像データ生成装置により生成された画像データの版を作成し、作成した前記版を用いて前記原稿の前記メタリック色領域を前記メタリック色で印刷する印刷手段と、を備えている。
【００１６】
請求項１０に係る画像データ生成プログラムは、コンピュータを、請求項１〜８の何れか１項記載の画像データ生成装置を構成する各手段として機能させるプログラムである。
【発明の効果】
【００１７】
請求項１、９、１０の発明によれば、メタリック色で表されたメタリック色領域を有する原稿の画像データを生成する際に、ユーザにより指定された領域をメタリック色領域として抽出する場合と比較して、メタリック色で表されたメタリック色領域を有する原稿の画像データを簡単に生成することができる。
【００１８】
請求項２の発明によれば、メタリック色で表されたメタリック色領域を有する原稿の読取画像及び撮影画像の明度差、及び読取画像及び撮影画像の彩度差を考慮しない場合と比較して、メタリック色領域を有する原稿のメタリック色領域を精度良く抽出することができる。
【００１９】
請求項３の発明によれば、メタリック色に関する情報を直接入力してメタリック色を指定させる場合と比較して、メタリック色以外の色の画素が誤って抽出されることを抑制することができる。
【００２０】
請求項４の発明によれば、メタリック色で表されたメタリック色領域を有する原稿の全体からメタリック色領域を抽出する場合と比較して、メタリック色で表されたメタリック色領域を有する原稿のメタリック色領域を短時間で抽出することができる。
【００２１】
請求項５の発明によれば、メタリック色で表されたメタリック色領域を有する原稿の読取画像及び撮影画像の色合わせをせずにメタリック色領域を抽出する場合と比較して、メタリック色で表されたメタリック色領域を有する原稿のメタリック色領域を精度良く抽出することができる。
【００２２】
請求項６の発明によれば、メタリック色で表されたメタリック色領域を有する原稿の読取画像及び撮影画像の全体を用いて読取画像及び撮影画像の色合わせを行う場合と比較して、読取画像及び撮影画像の色合わせを精度良く行うことができる。
【００２３】
請求項７の発明によれば、メタリック色で表されたメタリック色領域を有する原稿のメタリック色領域を抽出する際に、読取画像及び撮影画像の明度に関する条件と、読取画像及び撮影画像の彩度に関する条件と、読取画像及び撮影画像の明度差のベクトル及び彩度差のベクトルの合成ベクトルの長さに関する条件とを用いない場合と比較して、メタリック色で表されたメタリック色領域を有する原稿のメタリック色領域を精度良く抽出することができる。
【００２４】
請求項８の発明によれば、複数色のメタリック色で表された複数色のメタリック色領域を有する原稿のメタリック色領域を抽出する際に、単一のメタリック色領域しか抽出しない場合と比較して、精度良く色を抽出することができる。
【図面の簡単な説明】
【００２５】
【図１】第１実施形態に係る画像データ生成装置の機能的な構成を示すブロック図である。
【図２Ａ】実施形態に係る読取画像の取得方法の一例を示す模式図である。
【図２Ｂ】実施形態に係る撮影画像の取得方法の一例を示す模式図である。
【図３】実施形態に係る読取画像及び撮影画像の一例を示す模式図である。
【図４】実施形態に係る画像データ生成装置の電気的な構成を示すブロック図である。
【図５】第１実施形態に係る画像データ生成処理のプログラムの流れを示すフローチャートである。
【図６】実施形態に係る画像データ生成装置により生成された画像データに基づいて作成される各々の色の版の一例を示す模式図である。
【図７】第２実施形態及び第３実施形態に係る画像データ生成装置の機能的な構成を示すブロック図である。
【図８】第２実施形態に係る読取画像及び撮影画像の少なくとも一方から指定されるメタリック色領域の候補の一例を示す模式図である。
【図９】実施形態に係るメタリック色情報の一例を示す模式図である。
【図１０】実施形態に係る画像データ生成装置で指定される色空間上のメタリック色の範囲の一例を示す模式図である。
【図１１】実施形態に係る画像データ生成装置で指定される色空間上のメタリック色の範囲の別例を示す模式図である。
【図１２】第２実施形態に係る画像データ生成処理のプログラムの流れを示すフローチャートである。
【図１３】第３実施形態に係る読取画像及び撮影画像の少なくとも一方から指定されるメタリック色領域の候補の一例を示す模式図である。
【図１４】第３実施形態に係る画像データ生成処理のプログラムの流れを示すフローチャートである。
【発明を実施するための形態】
【００２６】
以下、添付図面を参照して、本発明の実施形態について詳細に説明する。
【００２７】
〔第１実施形態〕
【００２８】
まず、第１実施形態に係る画像データ生成装置について説明する。
【００２９】
金色、銀色等のメタリック色のインク、金箔等を用いてメタリック色で表されたメタリック色領域を有する原稿に対して、印刷装置を用いて複製物を作成したい場合がある。このような場合、一般的な印刷装置では、ユーザが原稿を参照しながらメタリック色領域に対応する画素を指定し、指定された画素に基づいて、メタリック色領域に対応する画素を抽出し、メタリック色の画像データを生成する。また、生成した画像データに基づいてメタリック色用の版を作成し、作成したメタリック色用の版、及びメタリック色のトナーを用いて印刷を行う。しかしながら、このようにメタリック色用の画像データを生成する際には、ユーザが原稿を参照しながらメタリック色領域に対応する画素を指定する必要があり、ユーザにとって煩雑である。
【００３０】
一方、複数の異なる照射条件で原稿に光を照射した場合に、メタリック色領域以外の領域と比較し、メタリック色領域では光の照射条件に応じて光の反射状態が大きく異なる。そのため、原稿に対する光の照射条件を異ならせた状態で取得した複数の画像を相互に比較することにより、原稿における各々の領域がメタリック色領域であるか否かが判定可能である。
【００３１】
そこで、本実施形態に係る画像データ生成装置では、メタリック色領域を有する原稿を読み取った読取画像の明度及び彩度と、原稿を撮影した撮影画像の明度及び彩度とを用いて、メタリック色領域に対応する画素を抽出する。また、本実施形態に係る画像データ生成装置では、抽出したメタリック色領域に対応する画素をメタリック色とした画像データを生成する。また、本実施形態に係る画像データ生成装置を有する印刷装置では、生成した画像データに基づいてメタリック色用の版を作成し、作成した版を用いて原稿においてメタリック色で描画されている画像をメタリック色で印刷する。これにより、メタリック色で表されたメタリック色領域を有する原稿の画像データを生成する際に、メタリック色で表されたメタリック色領域を有する原稿の画像データが簡単に生成される。
【００３２】
本実施形態に係る画像データ生成装置１０は、図１に示すように、位置合わせ部３２、色合わせ部３４、比較値算出部３６、メタリック色画素抽出部３８、及び、画像データ生成部４０を備えている。
【００３３】
位置合わせ部３２は、メタリック色で表されたメタリック色領域を有する同一の原稿を、光の照射条件を異ならせた状態で取得した読取画像３０Ａ及び撮影画像３０Ｂを取得する。
【００３４】
読取画像３０Ａは、一例として図２Ａに示すように、固定された角度から照射された光Ｌを用いて、角度が固定されたレンズで原稿５０をスキャナにより読み取った画像である。読取画像３０Ａは、一例として図３に示すように、原稿が有するメタリック色領域に対応するメタリック色領域３０Ｃを有している。このように、本実施形態では、原稿５０がスキャナで読み取った読取画像３０Ａを用いるが、用いられる画像の種類はこれに限らない。すなわち、固定された角度から照射された光を用いて、角度が固定されたレンズで原稿５０が読み取られた画像であれば、スキャナ以外の装置により取得された画像であっても良い。
【００３５】
撮影画像３０Ｂは、一例として図２Ｂに示すように、周囲の複数の角度から照射された光Ｌを用いて、角度が固定されたレンズで原稿５０を撮影した画像である。撮影画像３０Ｂは、一例として図３に示すように、原稿が有するメタリック色領域に対応するメタリック色領域３０Ｄを有している。このように、本実施形態では、原稿５０が、カメラによって撮影された撮影画像３０Ｂを用いるが、用いられる画像の種類はこれに限らない。すなわち、周囲から光Ｌが差し込んでいる環境で原稿５０が撮影された画像であれば、カメラ以外の装置により取得された画像であっても良い。
【００３６】
また、位置合わせ部３２は、読み込んだ読取画像３０Ａ及び撮影画像３０Ｂにそれぞれ描画されている描画体の位置合わせを行う。位置合わせの際には、パターンマッチング等、画像処理において一般的に用いられている公知の位置合わせ方法が用いられる。また、位置合わせを精度良く行うために、読取画像３０Ａ及び撮影画像３０Ｂの各々に、事前にマーカを形成しておき、これらのマーカを用いて位置合わせを行っても良い。
【００３７】
色合わせ部３４は、読取画像３０Ａ及び撮影画像３０Ｂの色合わせを行う。色合わせ方法については、一例として下記の具体例（１）乃至（３）に例示したような、画像処理において一般的に用いられている任意の色合わせ方法を用いる。
【００３８】
（１）紙白及び黒に近い色から、白色の補正及び白黒のレンジ補正を行う。
【００３９】
（２）紙白、黒、シアン（Cyan）、マゼンタ（Magenta）、イエロー（Yellow）等のパッチチャートを予め作成しておき、読取画像３０Ａ及び撮影画像３０Ｂの各々についてパッチ値が同じ値になるように補正する。
【００４０】
（３）読取画像３０Ａを取得した環境と同じ環境で、カラープロファイルを作成するためのパッチチャートを予め作成し、読取画像３０Ａを補正するカラープロファイルを予め作成しておく。同様に、撮影画像３０Ｂを取得した環境と同じ環境で、カラープロファイルを作成するためのパッチチャートを予め作成し、撮影画像３０Ｂを補正するカラープロファイルを予め作成しておく。そして、読取画像３０Ａ及び撮影画像３０Ｂの各々をカラープロファイルを用いて補正することにより、読取画像３０Ａ及び撮影画像３０Ｂが同じ色になるように色合わせを行う。
【００４１】
なお、読取画像３０Ａ及び撮影画像３０Ｂの色合わせを行う時点で、メタリック色領域を認識している場合には、メタリック色以外の色の領域のみを用いて色合わせを行っても良い。これにより、より精度良く色合わせを行うことができる。
【００４２】
比較値算出部３６は、読取画像３０Ａ及び撮影画像３０Ｂの各々のＲＧＢ値をＨＬＳ値に変換し、カラープロファイルを用いて、読取画像３０Ａ及び撮影画像３０Ｂの比較値を各々対応する画素毎に算出する。具体的には、比較値算出部３６は、下記（１）式に示すように、読取画像３０Ａ及び撮影画像３０Ｂの各々の画素の画素値から、読取画像３０Ａの明度値Ｌｓ及び撮影画像３０Ｂの明度値Ｌｃの差分（明度差）ΔＬを算出する。また、比較値算出部３６は、下記（２）式に示すように、読取画像３０Ａの彩度値Ｓｓ及び撮影画像３０Ｂの彩度値Ｓｃの差分（彩度差）ΔＳを算出する。
【００４３】
【数１】
0006578844.tif 000002
【００４４】
【数２】
0006578844.tif 000003
【００４５】
また、比較値算出部３６は、下記（３）式に示すように、明度差ΔＬのベクトルと彩度差ΔＳのベクトルとの合成ベクトルの長さである合成値ΔＬＳを算出する。この合成値ΔＬＳは、明度及び彩度の距離の差を表している。
【００４６】
【数３】
0006578844.tif 000004
【００４７】
なお、本実施形態では、上述したようにＨＬＳ値で読取画像３０Ａ及び撮影画像３０Ｂの比較を行うが、これに限らず、Ｌ＊ａ＊ｂ＊の値で比較しても良い。この場合、比較値算出部３６は、読取画像３０Ａ及び撮影画像３０ＢのＲＧＢ値をＬ＊ａ＊ｂ＊に変換し、明度値にはＬ＊を適用し、彩度値には、下記（４）式により求められるＣ＊を適用する。
【００４８】
【数４】
0006578844.tif 000005
【００４９】
また、比較値算出部３６は、Ｌ＊ａ＊ｂ＊で比較する場合に、上述した合成値ΔＬＳに相当する明度値Ｌ＊と彩度値Ｃ＊の合成値を、下記（５）式に示すように、読取画像３０Ａ及び撮影画像３０ＢのＬ＊の差分ΔＬ＊と、Ｃ＊の差分ΔＣ＊から算出する。
【００５０】
【数５】
0006578844.tif 000006
【００５１】
メタリック色画素抽出部３８は、各々の画素について算出した明度差ΔＬ及び彩度差ΔＳを用いて、読取画像３０Ａ及び撮影画像３０Ｂの各々対応する画素について、下記の条件（Ａ）乃至（Ｃ）の全てを満たす場合に、原稿のメタリック色領域に対応する画素であると判定する。
【００５２】
（Ａ）撮影画像３０Ｂより読取画像３０Ａの方が明度が低い（暗い）。
（Ｂ）撮影画像３０Ｂより読取画像３０Ａの方が彩度が低い（グレーに近い）。
（Ｃ）合成値ΔＬＳが、メタリック色であるか否かの判定基準とする予め定めた閾値α以上である。
【００５３】
本実施形態では、メタリック色領域が予め認識されている複数の原稿を用いて、メタリック色領域に対応する画素の合成値ΔＬＳと、メタリック色領域以外の領域に対応する画素の合成値ΔＬＳとを予め実験により求めておく。そして、求めた合成値ΔＬＳから、メタリック色領域に対応する画素であるか否かを判定するための合成値ΔＬＳの閾値αを決定して不揮発性メモリ２０に予め記憶している。複数色のメタリック色領域に対応する複数色の画素を抽出対象とする場合には、メタリック色の色毎に閾値αを決定して不揮発性メモリ２０に予め記憶している。
【００５４】
なお、各々の画素について、メタリック色であるか否かを判定する際、明度差ΔＬに閾値を設け、例えば、読取画像３０Ａの方が明度が低く、かつ明度差ΔＬが予め定めた閾値以上である、としても良い。同様に、各々の画素について、メタリック色であるか否かを判定する際、彩度差ΔＳに閾値を設け、例えば、読取画像３０Ａの方が彩度が低く、かつ彩度差ΔＳが予め定めた閾値以上である、としても良い。
【００５５】
また、合成値ΔＬＳを求める際に、例えば、明度差及び彩度差の少なくとも一方に係数をかけることにより、明度差及び彩度差の比重を変更しても良い。
【００５６】
メタリック色画素抽出部３８は、読取画像３０Ａ及び撮影画像３０Ｂの明度差、及び読取画像３０Ａ及び撮影画像３０Ｂの彩度差から、原稿が有するメタリック色領域に対応する画素であると判定した画素を抽出する。
【００５７】
画像データ生成部４０は、抽出されたメタリック色領域に対応する画素をメタリック色とした画像データを生成する。原稿が複数色のメタリック色領域を有する場合には、画像データ生成部４０は、メタリック色領域の色毎に画像データを生成する。生成された画像データは、印刷装置に出力され、印刷装置は、出力された画像データに基づいてメタリック色用の版を作成し、作成した版を用いて原稿においてメタリック色で描画されている画像をメタリック色で印刷する。
【００５８】
なお、位置合わせ部３２、色合わせ部３４、比較値算出部３６、及び、メタリック色画素抽出部３８は、抽出手段の一例である。また、画像データ生成部４０は、生成手段の一例である。
【００５９】
画像データ生成装置１０は、図４に示すように、装置全体を制御するコントローラ１２を備えた構成としても良い。コントローラ１２は、後述する画像データ生成処理を含む各種処理を実行するＣＰＵ（Central Processing Unit）１４、及び、ＣＰＵ１４の処理に使用されるプログラム及び各種情報を記憶するＲＯＭ（Read Only Memory）１６を備えている。また、コントローラ１２は、ＣＰＵ１４の作業領域として一時的に各種データを記憶するＲＡＭ（Random Access Memory）１８、及び、ＣＰＵ１４の処理に使用される各種情報を記憶する不揮発性メモリ２０を備えている。更に、コントローラ１２は、画像データ生成装置１０に接続された外部装置に対するデータの入出力を行うＩ／Ｏインタフェース２２を備えている。
【００６０】
Ｉ／Ｏインタフェース２２には、ユーザにより操作される操作部２４、各種情報を表示する表示部２６、及び、外部サーバ３０を含む外部装置との通信を行う通信部２８が接続されている。
【００６１】
画像データ生成装置１０の各部が実行する処理は各種プログラムによってＣＰＵ１４により実行される。本実施形態では、各種プログラムは、画像データ生成装置１０が備える不揮発性メモリ２０に記憶されているが、各種プログラムの記憶先はこれに限らず、磁気ディスク、光ディスク等の記録媒体に記録されても良く、通信部２８を通して提供されても良い。また、その他のいかなる構成要素も、必ずしも単一のコンピュータやサーバによって実現される必要はなく、ネットワークによって接続された複数のコンピュータにより分散されて実現されても構わない。
【００６２】
次に、本実施形態に係る画像データ生成装置１０のＣＰＵ１４が実行する画像データ生成処理を行う際の処理の流れを、図５に示すフローチャートを参照して説明する。なお、本実施形態では、画像データ生成処理のプログラムは、操作部２４により実行の指示が入力された場合に、実行されるが、実行のタイミングはこれに限らない。
【００６３】
ステップＳ１０１では、位置合わせ部３２が、読取画像３０Ａを取得する。本実施形態では、位置合わせ部３２が、読取画像３０Ａを通信部２８に接続された外部装置から取得するが、取得方法はこれに限らない。例えば、Ｉ／Ｏインタフェース２２に接続されたスキャナで読み取られた読取画像３０Ａをスキャナから取得しても良い。
【００６４】
ステップＳ１０３では、位置合わせ部３２が、撮影画像３０Ｂを取得する。本実施形態では、位置合わせ部３２が、撮影画像３０Ｂを通信部２８に接続された外部装置から取得するが、取得方法はこれに限らない。例えば、Ｉ／Ｏインタフェース２２に接続された撮影装置で読み取られた撮影画像３０Ｂを撮影装置から取得しても良い。
【００６５】
ステップＳ１０５では、位置合わせ部３２が、読取画像３０Ａ及び撮影画像３０Ｂの位置合わせを行う。
【００６６】
ステップＳ１０７では、色合わせ部３４が、読取画像３０Ａ及び撮影画像３０Ｂの色合わせを行う。
【００６７】
ステップＳ１０９では、比較値算出部３６が、読取画像３０Ａ及び撮影画像３０Ｂから１つの対応する画素を選択する。本実施形態では、読取画像３０Ａ及び撮影画像３０Ｂの左上の画素から１画素ずつスライドさせながら順次選択していく。
【００６８】
ステップＳ１１１では、比較値算出部３６が、読取画像３０Ａ及び撮影画像３０Ｂの間の、ステップＳ１０９で選択した画素の明度差ΔＬを算出する。
【００６９】
ステップＳ１１３では、比較値算出部３６が、読取画像３０Ａ及び撮影画像３０Ｂの間の、ステップＳ１０９で選択した画素の彩度差ΔＳを算出する。
【００７０】
ステップＳ１１５では、比較値算出部３６が、読取画像３０Ａ及び撮影画像３０Ｂの間の、ステップＳ１０９で選択した画素の明度差及び彩度差の合成値ΔＬＳを算出する。
【００７１】
ステップＳ１１７では、読取画像３０Ａの方が撮影画像３０Ｂより明度が低い（暗い）か否かを判定する。ステップＳ１１７で読取画像３０Ａの方が撮影画像３０Ｂより明度が低いと判定した場合（Ｓ１１７，Ｙ）はステップＳ１１９に移行する。また、ステップＳ１１７で撮影画像３０Ｂの方が読取画像３０Ａより明度が低いと判定した場合（Ｓ１１７，Ｎ）はステップＳ１２５に移行する。
【００７２】
ステップＳ１１９では、比較値算出部３６が、読取画像３０Ａの方が撮影画像３０Ｂより彩度が低い（グレーに近い）か否かを判定する。ステップＳ１１９で読取画像３０Ａの方が撮影画像３０Ｂより彩度が低いと判定した場合（Ｓ１１９，Ｙ）はステップＳ１２１に移行する。また、ステップＳ１１９で撮影画像３０Ｂの方が読取画像３０Ａより彩度が低いと判定した場合（Ｓ１１９，Ｎ）はステップＳ１２５に移行する。
【００７３】
ステップＳ１２１では、比較値算出部３６が、読取画像３０Ａ及び撮影画像３０Ｂの間の、ステップＳ１０９で選択した画素の合成値ΔＬＳが、予め定めた閾値α以上であるか否かを判定する。ステップＳ１２１で合成値ΔＬＳが閾値α以上であると判定した場合（Ｓ１２１，Ｙ）はステップＳ１２３に移行する。ステップＳ１２１で合成値ΔＬＳが閾値αより小さいと判定した場合（Ｓ１２１，Ｙ）はステップＳ１２５に移行する。
【００７４】
ステップＳ１２３では、比較値算出部３６が、ステップＳ１０９で選択した画素をメタリック色領域に対応する画素とする。
【００７５】
ステップＳ１２５では、比較値算出部３６が、ステップＳ１０９で選択した画素をメタリック色領域以外の領域に対応する画素とする。
【００７６】
ステップＳ１２７では、比較値算出部３６が、読取画像３０Ａ及び撮影画像３０Ｂの画素のうち、未処理の画素、すなわちステップＳ１０９で選択されていない画素があるか否かを判定する。ステップＳ１２７で未処理の画素があると判定された場合（Ｓ１２７，Ｙ）は、ステップＳ１０９に戻り、ステップＳ１０９で未処理の画素を選択し、ステップＳ１０９乃至Ｓ１２５の処理を行う。ステップＳ１２７で未処理の画素がないと判定された場合（Ｓ１２７，Ｎ）は、ステップＳ１２９に移行する。
【００７７】
ステップＳ１２９では、メタリック色画素抽出部３８が、読取画像３０Ａ及び撮影画像３０Ｂからメタリック色領域に対応する画素と判定された画素を抽出する。
【００７８】
ステップＳ１３１では、画像データ生成部４０が、メタリック色の画像データを生成する。
【００７９】
このように、本実施形態では、メタリック色で表されたメタリック色領域を有する原稿を読み取った読取画像３０Ａの明度及び彩度と、原稿を撮影した撮影画像３０Ｂの明度及び彩度とを用いて、メタリック色領域に対応する画素を抽出する。また、抽出したメタリック色領域に対応する画素を用いて、メタリック色領域に対応する画素をメタリック色とした画像データを生成する。これにより、メタリック色で表されたメタリック色領域を有する原稿の画像データを生成する際に、メタリック色で表されたメタリック色領域を有する原稿の画像データが簡単に生成される
【００８０】
また、画像データ生成装置１０が、原稿においてメタリック色で描画されている画像の画像データを印刷装置に出力することにより、印刷装置により、この画像データに基づいてメタリック色用の版が作成される。
【００８１】
なお、画像データ生成装置１０が印刷装置に組み込まれていても良い。この場合には、画像データ生成装置１０が組み込まれた印刷装置によって、原稿のメタリック色領域の画像データを生成し、生成した画像データに基づいてメタリック色の版が作成される。すなわち、一例として図６に示すように、印刷装置で印刷を行うために、シアン（Ｃ）の版５２Ａ、マゼンタ（Ｍ）の版５２Ｂ、イエロー（Ｙ）の版５２Ｃ、キープレート（Ｋ）の版５２Ｄ等の色毎の版が作成される。この際に、金色（Gold）の版５２Ｅ等のメタリック色用の版も併せて作成される。
〔第２実施形態〕
【００８２】
次に、第２実施形態に係る画像データ生成装置について説明する。
【００８３】
上記第１実施形態では、読取画像３０Ａ及び撮影画像３０Ｂの間の明度差及び彩度差を用いて、メタリック色領域に対応する画素を抽出する場合について説明した。一方、本第２実施形態では、読取画像３０Ａ及び撮影画像３０Ｂの間の明度差及び彩度差と、ユーザにより指定されたメタリック色とを用いて、メタリック色領域に対応する画素を抽出する場合について説明する。
【００８４】
第２実施形態に係る画像データ生成装置１０Ａは、図７に示すように、メタリック色指定部４２、及びメタリック色領域候補抽出部４４を備えている。
【００８５】
メタリック色指定部４２は、読取画像３０Ａ及び撮影画像３０Ｂの何れか一方からメタリック色領域を指定する。本実施形態では、一例として図８に示すように、メタリック色指定部４２は、表示部２６に読取画像３０Ａ及び撮影画像３０Ｂの何れか一方を表示し、ユーザに操作部２４を操作させて、表示された画像の一部の領域５４をメタリック色領域として選択させる。なお、選択された領域５４は、１画素であっても画素群であっても良い。そして、メタリック色指定部４２は、領域５４に含まれる画素の画素値からメタリック色情報を生成し、生成したメタリック色情報を不揮発性メモリ２０に記憶させる。
【００８６】
メタリック色情報としては、一例として図９に示すように、金色、銀色、銅色等の色の種類、読取画像３０Ａ、撮影画像３０Ｂ等の取得原稿、画素値、合成値ΔＬＳ、及び指定された画素の位置が色毎に対応付けられて記憶される。なお、合成値ΔＬＳについては、必ずしも記憶されている必要はなく、合成値ΔＬＳが記憶されていない場合には、例えば、合成値ΔＬＳの範囲を上述した閾値α以上の範囲とすれば良い。
【００８７】
また、本実施形態では、読取画像３０Ａ及び撮影画像３０Ｂの何れか一方からメタリック色領域が指定されるが、指定方法はこれに限らない。例えば、読取画像３０Ａ及び撮影画像３０Ｂとは異なる別の画像からメタリック色領域が指定されても良い。また、ユーザが操作部２４を操作することによりメタリック色情報の各項目が直接入力されても良い。また、通信部２８を介して外部装置からメタリック色情報の各項目が取得されても良い。
【００８８】
本実施形態では、指定された画素は、一例として図１０に示すように、Ｌ＊ａ＊ｂ＊空間上で、指定されたメタリック色Ａの画素値を中心とした予め定めた範囲５６Ａ内に画素値が属する画素を、公知のクラスタリング技術により相互に対応付ける。そして、対応付けられた画素値に属する画素を、メタリック色Ａの画素とする。同様に、Ｌ＊ａ＊ｂ＊空間上で、指定されたメタリック色Ｂの画素値を中心とした予め定めた範囲５６Ｂ内に画素値が属する画素を、公知のクラスタリング技術により相互に対応付ける。そして、対応付けられた画素値に属する画素を、メタリック色Ｂの画素とする。
【００８９】
また、メタリック色が複数指定されていて、各々の色の範囲が色空間上で相互に重なり合っている場合は、重なっている範囲の中央部でメタリック色領域を分割し、各々の色の範囲とする。一例として図１１に示すように、メタリック色Ｃの範囲５６Ｃ及びメタリック色Ｄの範囲５６Ｄが相互に重なり合っている場合がある。その場合は、範囲５６Ｃ及び範囲５６Ｄの中央部５８でメタリック色領域を分割し、分割した各々の範囲をメタリック色Ｃの範囲、及びメタリック色Ｄの範囲とする。
【００９０】
また、合成値ΔＬＳの範囲を指定する場合には、同じメタリック色を示す範囲を予め定めたサイズの範囲から広げるか狭めるかを入力しても良い。または、色空間上における指定された画素を含む一定の距離（例えば、Ｌａｂ空間の三次元距離ΔＥ）を入力し、指定された画素の画素値を中心としたその一定の距離内の範囲を、指定されたメタリック色領域に対応する画素の画素値の範囲としても良い。
【００９１】
メタリック色領域候補抽出部４４は、不揮発性メモリ２０からメタリック色情報を取得し、画素値が、メタリック色画素の画素値の範囲内に属する画素を抽出する。なお、メタリック色が複数ある場合には、色毎に、メタリック色領域に対応する画素の画素値の範囲内に属する画素を抽出する。
【００９２】
第２実施形態に係る画像データ生成装置１０Ａのその他の構成は、上記第１実施形態に係る画像データ生成装置１０と同じであるため、各構成の説明を省略する。
【００９３】
なお、位置合わせ部３２、色合わせ部３４、比較値算出部３６、メタリック色画素抽出部３８、メタリック色指定部４２、及び、メタリック色領域候補抽出部４４は、抽出手段の一例である。また、画像データ生成部４０は、生成手段の一例である。
【００９４】
次に、本実施形態に係る画像データ生成装置１０ＡのＣＰＵ１４が実行する画像データ生成処理を行う際の処理の流れを、図１２に示すフローチャートを参照して説明する。なお、本実施形態では、画像データ生成処理のプログラムは、操作部２４により実行の指示が入力された場合に、実行されるが、実行のタイミングはこれに限らない。
【００９５】
ステップＳ２０１では、ステップＳ１０１と同様に、位置合わせ部３２が、読取画像３０Ａを取得する。
【００９６】
ステップＳ２０３では、ステップＳ１０３と同様に、位置合わせ部３２が、撮影画像３０Ｂを取得する。
【００９７】
ステップＳ２０５では、ステップＳ１０５と同様に、位置合わせ部３２が、読取画像３０Ａ及び撮影画像３０Ｂの位置合わせを行う。
【００９８】
ステップＳ２０７では、ステップＳ１０７と同様に、色合わせ部３４が、読取画像３０Ａ及び撮影画像３０Ｂの色合わせを行う。
【００９９】
ステップＳ２０９では、メタリック色領域候補抽出部４４が、ユーザにより操作部２４を介して指定されたメタリック色領域の候補を取得する。
【０１００】
ステップＳ２１１では、メタリック色指定部４２が、メタリック色領域の候補からメタリック色情報を生成し、生成したメタリック色情報を不揮発性メモリ２０に記憶する。メタリック色領域の候補として１画素が指定された場合、指定された画素の画素値からメタリック色情報を生成する。また、メタリック色領域の候補として画素群が指定された場合、指定された画素群に含まれる各々の画素の画素値の平均値からメタリック色情報を生成する。本実施形態では、メタリック色指定部４２は、ユーザにメタリック色の種類、及び合成値ΔＬＳの入力を促す。そして、メタリック色指定部４２は、入力されたメタリック色の種類、及び合成値ΔＬＳを、指定された画素の画素値、取得原稿、及び画素の位置と対応付けて、メタリック色情報として不揮発性メモリ２０に記憶する。
【０１０１】
ステップＳ２１３では、ステップＳ１０９と同様に、比較値算出部３６が、読取画像３０Ａ及び撮影画像３０Ｂから１つの対応する画素を選択する。
【０１０２】
ステップＳ２１５では、ステップＳ１１１と同様に、比較値算出部３６が、読取画像３０Ａ及び撮影画像３０Ｂの間の、ステップＳ２１３で選択した画素の明度差ΔＬを算出する。
【０１０３】
ステップＳ２１７では、ステップＳ１１３と同様に、比較値算出部３６が、読取画像３０Ａ及び撮影画像３０Ｂの間の、ステップＳ２１３で選択した画素の彩度差ΔＳを算出する。
【０１０４】
ステップＳ２１９では、ステップＳ１１５と同様に、比較値算出部３６が、読取画像３０Ａ及び撮影画像３０Ｂの間の、ステップＳ２１３で選択した画素の明度差及び彩度差の合成値ΔＬＳを算出する。
【０１０５】
ステップＳ２２１では、ステップＳ１１７と同様に、読取画像３０Ａの方が撮影画像３０Ｂより明度が低いか否かを判定する。ステップＳ２２１で読取画像３０Ａの方が撮影画像３０Ｂより明度が低いと判定した場合（Ｓ２２１，Ｙ）はステップＳ２２３に移行する。また、ステップＳ２２１で撮影画像３０Ｂの方が読取画像３０Ａより明度が低いと判定した場合（Ｓ２２１，Ｎ）はステップＳ２３１に移行する。
【０１０６】
ステップＳ２２３では、ステップＳ１１９と同様に、比較値算出部３６が、読取画像３０Ａの方が撮影画像３０Ｂより彩度が低いか否かを判定する。ステップＳ２２３で読取画像３０Ａの方が撮影画像３０Ｂより彩度が低いと判定した場合（Ｓ２２３，Ｙ）はステップＳ２２５に移行する。また、ステップＳ２２３で撮影画像３０Ｂの方が読取画像３０Ａより彩度が低いと判定した場合（Ｓ２２３，Ｎ）はステップＳ２３１に移行する。
【０１０７】
ステップＳ２２５では、ステップＳ１２１と同様に、比較値算出部３６が、読取画像３０Ａ及び撮影画像３０Ｂの間の、ステップＳ２１３で選択した画素の明度差及び彩度差の合成値ΔＬＳが、予め定めた閾値α以上であるか否かを判定する。ステップＳ２２５で合成値ΔＬＳが閾値α以上であると判定した場合（Ｓ２２５，Ｙ）はステップＳ２２７に移行する。ステップＳ２２５で合成値ΔＬＳが閾値αより小さいと判定した場合（Ｓ２２５，Ｙ）はステップＳ２３１に移行する。
【０１０８】
ステップＳ２２７では、比較値算出部３６が、ステップＳ２１３で選択した画素の画素値が、ステップＳ２１１で記憶したメタリック色情報に含まれる画素値の範囲に適合しているか否かを判定する。本実施形態では、ステップＳ２１３で選択した画素の画素値がステップＳ２１１で記憶したメタリック色情報に含まれる画素値の範囲内である場合に、適合しているとする。ステップＳ２２７で、選択した画素の画素値が、メタリック色情報に含まれる画素値の範囲に適合していると判定した場合（Ｓ２２７，Ｙ）は、ステップＳ２２９に移行する。また、ステップＳ２２７で、選択した画素の画素値が、メタリック色情報に含まれる画素値の範囲に適合していないと判定した場合（Ｓ２２７，Ｎ）は、ステップＳ２３１に移行する。
【０１０９】
ステップＳ２２９では、ステップＳ１２３と同様に、比較値算出部３６が、ステップＳ２１３で選択した画素をメタリック色領域に対応する画素とする。
【０１１０】
ステップＳ２３１では、ステップＳ１２５と同様に、比較値算出部３６が、ステップＳ２１３で選択した画素をメタリック色領域以外の領域に対応する画素とする。
【０１１１】
ステップＳ２３３では、ステップＳ１２７と同様に、比較値算出部３６が、読取画像３０Ａ及び撮影画像３０Ｂの画素のうち、未処理の画素、すなわちステップＳ２１３で選択されていない画素があるか否かを判定する。ステップＳ２２３で未処理の画素があると判定された場合（Ｓ２３３，Ｙ）は、ステップＳ２１３に戻り、ステップＳ２１３で未処理の画素を選択し、ステップＳ２１５乃至Ｓ２３１の処理を行う。ステップＳ２３３で未処理の画素がないと判定された場合（Ｓ２３３，Ｎ）は、ステップＳ２３５に移行する。
【０１１２】
ステップＳ２３５では、ステップＳ１２９と同様に、メタリック色画素抽出部３８が、読取画像３０Ａ及び撮影画像３０Ｂからメタリック色領域に対応する画素と判定された画素を抽出する。
【０１１３】
ステップＳ２３７では、ステップＳ１３１と同様に、画像データ生成部４０が、メタリック色の画像データを生成する。
【０１１４】
このように、本実施形態では、読取画像３０Ａ及び撮影画像３０Ｂの何れか一方で指定されたメタリック色領域に対応する画素の明度及び彩度を用いて、メタリック色領域に対応する画素が抽出される。これにより、メタリック色領域を有する原稿を用いてメタリック色を簡単に指定することができる
〔第３実施形態〕
【０１１５】
次に、第３実施形態に係る画像データ生成装置について説明する。
【０１１６】
上記第２実施形態では、読取画像３０Ａ及び撮影画像３０Ｂの間の明度差及び彩度差と、ユーザにより指定されたメタリック色情報とを用いて、メタリック色領域に対応する画素を抽出する場合について説明した。一方、本第３実施形態では、読取画像３０Ａ及び撮影画像３０Ｂの間の明度差及び彩度差と、ユーザにより指定されたメタリック色領域の候補から、メタリック色領域に対応する画素を抽出する場合について説明する。
【０１１７】
第３実施形態に係る画像データ生成装置の構成は、上記第２実施形態に係る画像データ生成装置１０Ａと同じであるため、各構成の説明を省略する。
【０１１８】
ただし、本実施形態におけるメタリック色領域候補抽出部４４は、一例として図１３に示すように、読取画像３０Ａ及び撮影画像３０Ｂの何れか一方において、メタリック色領域３０Ｃを含む領域５４を、メタリック色領域の候補として抽出する。そして、メタリック色画素抽出部３８は、メタリック色領域３０Ｃを含む領域５４から、メタリック色領域に対応する画素を抽出する。
【０１１９】
次に、本実施形態に係る画像データ生成装置１０のＣＰＵ１４が実行する画像データ生成処理を行う際の処理の流れを、図１４に示すフローチャートを参照して説明する。なお、本実施形態では、画像データ生成処理のプログラムは、操作部２４により実行の指示が入力された場合に、実行されるが、実行のタイミングはこれに限らない。
【０１２０】
ステップＳ３０１では、ステップＳ１０１と同様に、位置合わせ部３２が、読取画像３０Ａを取得する。
【０１２１】
ステップＳ３０３では、ステップＳ１０３と同様に、位置合わせ部３２が、撮影画像３０Ｂを取得する。
【０１２２】
ステップＳ３０５では、ステップＳ１０５と同様に、位置合わせ部３２が、読取画像３０Ａ及び撮影画像３０Ｂの位置合わせを行う。
【０１２３】
ステップＳ３０７では、メタリック色領域候補抽出部４４が、ユーザにより操作部２４を介して指定されたメタリック色領域の候補を取得する。なお、メタリック色領域の候補の取得方法はこれに限らない。例えば、画素値が、メタリック色情報に含まれる少なくとも１色のメタリック色の画素値の範囲内である画素を抽出して、抽出した画素からなる領域を、メタリック色領域の候補としても良い。
【０１２４】
ステップＳ３０９では、ステップＳ１０７と同様に、色合わせ部３４が、読取画像３０Ａ及び撮影画像３０Ｂの色合わせを行う。本実施形態では、色合わせ部３４は、読取画像３０Ａ及び撮影画像３０Ｂから、ユーザにより操作部２４を介して指定された領域５４を除いた範囲６０のみを用いて、読取画像３０Ａ及び撮影画像３０Ｂの色合わせを行う。これにより、メタリック色領域に対応する画素が色合わせに用いられることが回避され、色合わせの精度が向上する。なお、範囲６０は、図１３において斜線で示された範囲である。
【０１２５】
ステップＳ３１１では、ステップＳ１０９と同様に、比較値算出部３６が、読取画像３０Ａ及び撮影画像３０Ｂから１つの対応する画素を選択する。
【０１２６】
ステップＳ３１３では、ステップＳ１１１と同様に、比較値算出部３６が、読取画像３０Ａ及び撮影画像３０Ｂの間の、ステップＳ３１１で選択した画素の明度差ΔＬを算出する。
【０１２７】
ステップＳ３１５では、ステップＳ１１３と同様に、比較値算出部３６が、読取画像３０Ａ及び撮影画像３０Ｂの間の、ステップＳ３１１で選択した画素の彩度差ΔＳを算出する。
【０１２８】
ステップＳ３１７では、ステップＳ１１５と同様に、比較値算出部３６が、読取画像３０Ａ及び撮影画像３０Ｂの間の、ステップＳ３１１で選択した画素の明度差及び彩度差の合成値ΔＬＳを算出する。
【０１２９】
ステップＳ３１９では、ステップＳ１１７と同様に、読取画像３０Ａの方が撮影画像３０Ｂより明度が低いか否かを判定する。ステップＳ３１９で読取画像３０Ａの方が撮影画像３０Ｂより明度が低いと判定した場合（Ｓ３１９，Ｙ）はステップＳ３２１に移行する。また、ステップＳ３１９で撮影画像３０Ｂの方が読取画像３０Ａより明度が低いと判定した場合（Ｓ３１９，Ｎ）はステップＳ３２７に移行する。
【０１３０】
ステップＳ３２１では、ステップＳ１１９と同様に、比較値算出部３６が、読取画像３０Ａの方が撮影画像３０Ｂより彩度が低いか否かを判定する。ステップＳ３２１で読取画像３０Ａの方が撮影画像３０Ｂより彩度が低いと判定した場合（Ｓ３２１，Ｙ）はステップＳ３２３に移行する。また、ステップＳ３２１で撮影画像３０Ｂの方が読取画像３０Ａのより彩度が低いと判定した場合（Ｓ３２１，Ｎ）はステップＳ３２７に移行する。
【０１３１】
ステップＳ３２３では、ステップＳ１２１と同様に、比較値算出部３６が、読取画像３０Ａ及び撮影画像３０Ｂの間の、ステップＳ３１１で選択した画素の明度差及び彩度差の合成値ΔＬＳが、予め定めた閾値α以上であるか否かを判定する。ステップＳ３２３で合成値ΔＬＳが閾値α以上であると判定した場合（Ｓ３２３，Ｙ）はステップＳ３２５に移行する。ステップＳ３２３で合成値ΔＬＳが閾値αより小さいと判定した場合（Ｓ３２３，Ｙ）はステップＳ３２７に移行する。
【０１３２】
ステップＳ３２５では、ステップＳ１２３と同様に、比較値算出部３６が、ステップＳ３１１で選択した画素をメタリック色領域に対応する画素とする。
【０１３３】
ステップＳ３２７では、ステップＳ１２５と同様に、比較値算出部３６が、ステップＳ３１１で選択した画素をメタリック色領域以外の領域に対応する画素とする。
【０１３４】
ステップＳ３２９では、ステップＳ１２７と同様に、比較値算出部３６が、読取画像３０Ａ及び撮影画像３０Ｂの画素のうち、未処理の画素、すなわちステップＳ３１１で選択されていない画素があるか否かを判定する。ステップＳ３２９で、未処理の画素があると判定された場合（Ｓ３２９，Ｙ）は、ステップＳ３１１に戻り、ステップＳ３１１で未処理の画素を選択し、ステップＳ３１３乃至Ｓ３２７の処理を行う。ステップＳ３２９で未処理の画素がないと判定された場合（Ｓ３２９，Ｎ）は、ステップＳ３３１に移行する。
【０１３５】
ステップＳ３３１では、ステップＳ１２９と同様に、メタリック色画素抽出部３８が、読取画像３０Ａ及び撮影画像３０Ｂからメタリック色領域に対応する画素と判定された画素を抽出する。
【０１３６】
ステップＳ３３３では、ステップＳ１３１と同様に、画像データ生成部４０が、メタリック色の画像データを生成する。
【０１３７】
このように、本実施形態では、読取画像３０Ａ及び撮影画像３０Ｂの何れか一方で指定されたメタリック色領域が含まれる領域から、メタリック色領域に対応する画素が抽出される。これにより、メタリック色領域を有する原稿のメタリック色領域が短時間で認識される。
【０１３８】
また、本実施形態では、メタリック色情報から指定されたメタリック色の画像データを生成する場合について説明したが、これに限らない。例えば、メタリック色情報から指定されたメタリック色の画像データを生成する際、読取画像３０Ａ又は撮影画像３０Ｂから、指定されたメタリック色以外のメタリック色が存在するか否かを探索しても良い。指定されたメタリック色以外のメタリック色で表されたメタリック色領域が抽出された場合には、抽出されたメタリック色をメタリック色情報に追加し、抽出されたメタリック色についても画像データを生成すると良い。または、抽出されたメタリック色を、メタリック色情報に記憶されているメタリック色のうちの色空間上で最も近いメタリック色に追加しても良い。あるいは、抽出されたメタリック色を、メタリック色情報に追加せずに、指定されたメタリック色のみの画像データを生成しても良い。
【０１３９】
また、本実施形態では、メタリック色で表されたメタリック色領域を有する原稿から、メタリック色領域に対応する画素を抽出する場合について説明したが、これに限らない。例えば、表面がざらざらした、粒度が大きいインクで描かれた領域、すなわち光を乱反射させるインクで描かれた領域を有する原稿から、当該インクで描かれた領域を抽出する場合にも本実施形態が適用可能である。
【０１４０】
また、本実施形態では、上述したように、各々の画素について算出した比較値を用いて、各々の画素について、下記の条件（Ａ）乃至（Ｃ）の全てを満たす場合にはメタリック色画素であると判定する場合について説明した。しかしながら、メタリック色であると判定するのは、条件（Ａ）乃至（Ｃ）の全てを満たす場合に限らない。例えば、各々の画素について、（Ａ）及び（Ｂ）の双方を満たす場合、又は（Ａ）及び（Ｃ）の双方を満たす場合にメタリック色領域に対応する画素であると判定しても良い。
【符号の説明】
【０１４１】
１０  装置
１２  コントローラ
１４  ＣＰＵ
１６  ＲＯＭ
１８  ＲＡＭ
２０  不揮発性メモリ
２２  Ｉ／Ｏインタフェース
２４  操作部
２６  表示部
２８  通信部
３０Ａ  読取画像
３０Ｂ  撮影画像
３２  位置合わせ部
３４  色合わせ部
３６  比較値算出部
３８  メタリック色画素抽出部
４０  画像データ生成部
４２  メタリック色指定部
４４  メタリック色領域候補抽出部
【図１】
0006578844.tif 000007
【図２Ａ】
0006578844.tif 000008
【図２Ｂ】
0006578844.tif 000009
【図３】
0006578844.tif 000010
【図４】
0006578844.tif 000011
【図５】
0006578844.tif 000012
【図６】
0006578844.tif 000013
【図７】
0006578844.tif 000014
【図８】
0006578844.tif 000015
【図９】
0006578844.tif 000016
【図１０】
0006578844.tif 000017
【図１１】
0006578844.tif 000018
【図１２】
0006578844.tif 000019
【図１３】
0006578844.tif 000020
【図１４】
0006578844.tif 000021